(57)【要約】【課題】洗浄水に没した状態で排水弁を開弁状態に維持するための浮力を発揮するフロートを備え、フロートの高さ位置の下限位置を可及的に低く調整することを可能とした便器洗浄水タンク装置を提供すること。【解決手段】便器へ供給するための洗浄水を貯留する洗浄水タンク１０と、洗浄水タンク１０の底部１０ａに配設され、洗浄水を便器へ向けて排水する排水口３７と、排水口３７に着座するシール面３４ａを備え、排水口３７を開閉する排水弁３４と、排水弁３４の上面に接続され、排水弁３４を引上げる紐状の引上げ部材３３と、洗浄水に没した状態で排水弁３４を開弁状態に維持するための浮力を発揮するフロート３５と、を有する便器洗浄水タンク装置１００において、フロート３５は、引上げ部材３３の中途部に固定可能であると共に、排水弁３４には、フロート３５の下面３５ｂをシール面３４ａよりも下方位置に保持可能にするフロート配置部４１を設けたことを特徴とする。【選択図】図１
2008156899.tif 000002
【特許請求の範囲】
【請求項１】
便器へ供給するための洗浄水を貯留する洗浄水タンクと、
前記洗浄水タンクの底部に配設され、前記洗浄水を前記便器へ向けて排水する排水口と、
前記排水口に着座するシール面を備え、前記排水口を開閉する排水弁と、
前記排水弁の上面に接続され、前記排水弁を引上げる紐状の引上げ部材と、
前記洗浄水に没した状態で前記排水弁を開弁状態に維持するための浮力を発揮するフロートと、を有する便器洗浄水タンク装置において、
前記フロートは、前記引上げ部材の中途部に固定可能であると共に、
前記排水弁には、前記フロートの下面を前記シール面よりも下方位置に保持可能にするフロート配置部を設けたことを特徴とする便器洗浄水タンク装置。
【請求項２】
前記フロート配置部は、前記フロートを前記排水弁の下面に保持する保持手段によって構成されていることを特徴とする請求項１に記載の便器洗浄水タンク装置。
【請求項３】
前記フロートは、前記引上げ部材を挿通するための挿通孔を有し、
前記保持手段は、前記排水弁の下面に垂下された紐状体と、前記挿通孔に前記紐状体を挿通した状態で、前記フロートを固定する係止部材とを有することを特徴とする請求項２に記載の便器洗浄水タンク装置。
【請求項４】
前記フロートは、前記引上げ部材を挿通するための挿通孔を有し、
前記保持手段は、前記排水弁の下面に突設された突起部と、前記突起部の先端部に連設され、前記挿通孔に前記突起部を挿通した状態で、前記フロートをスナップフィットにより嵌合する嵌合部とを有することを特徴とする請求項２に記載の便器洗浄水タンク装置。
【請求項５】
前記フロート配置部は、前記排水弁の上面に前記フロートの少なくとも一部を収納する凹部を備えており、前記凹部の底面は前記シール面よりも下方に配置され、
前記フロートを前記引上げ部材に挿通した状態で、前記フロートの下面を前記シール面よりも下方位置に保持可能としたことを特徴とする請求項１に記載の便器洗浄水タンク装置。
【発明の詳細な説明】
【技術分野】
【０００１】
本発明は、排水量を最大水量に調整することのできる便器洗浄水タンク装置に係わるものであり、特に、排水量の調整範囲を大きくすることができる便器洗浄水タンク装置に関するものである。
【背景技術】
【０００２】
従来から、特許文献１に記載されているように、排水弁を引上げる紐状の引上げ部材の中途部に固定可能であり、洗浄水に没した状態で排水弁を開弁状態に維持するための浮力を発揮するフロートを備えた便器洗浄水タンク装置が知られている。
【０００３】
かかる従来の便器洗浄水タンク装置においては、引上げ部材に対するフロートの固定位置、言い換えると、便器洗浄水タンク底面からのフロートの高さ位置を調整することで、洗浄時の節水のために便器の種類に応じて洗浄水タンクから便器への洗浄水の排水量を調整していた。
【０００４】
具体的には、引上げ部材の伸延方向にてフロートの高さ位置を比較的に高く調整すれば、洗浄水の排出に伴って洗浄水タンク内の水位が下降する際に、フロート部材が早い段階で水面上に露出し浮力が減少するため、排水弁が早い段階で閉弁状態となり、その結果、排水量が小さくなる。一方、引上げ部材の伸延方向にてフロート部材の高さ位置を比較的に低く調整すれば、洗浄水の排出に伴って洗浄水タンク内の水位が下降する際に、フロート部材の高さ位置が高い場合に比べてフロート部材が洗浄水中に没し浮力を発揮する時間が長くなるため、排水弁が開弁状態から閉弁状態となるまでの時間も長くなり、その結果、排水量が大きくなる。このようにフロートの高さ位置を調整することにより、洗浄水タンクから便器への洗浄水の排水量を調整するものである。
【０００５】
【特許文献１】実用新案登録第３０８８５２６号公報
【発明の開示】
【発明が解決しようとする課題】
【０００６】
しかしながら、特許文献１に記載の便器洗浄水タンク装置は、引上げ部材の伸延方向にてフロート部材の高さ位置の調整をする場合に、排水量を大きく調整すべくフロートを可及的低位置に調整する際、その下限位置が、排水弁の上面の位置を下限とするため、排水弁上面から、排水口開口縁までの距離の分は、排水不能の洗浄水が残留し、この残留水の分は大きく調整する場合の排水対象とすることができなかった。
【０００７】
そこで、本発明は、排水弁を引上げる紐状の引上げ部材の中途部にフロートを固定可能とし、フロートが洗浄水に没した状態では、浮力により排水弁を開弁状態に維持するように構成した浄水タンク装置において、フロートの高さ位置の下限位置を可及的に低く調整することを可能とし、可及的最大の排水量を得ることができる便器洗浄水タンク装置を提供することを目的とするものである。
【課題を解決するための手段】
【０００８】
上記目的を達成するため、請求項１記載の発明は、便器へ供給するための洗浄水を貯留する洗浄水タンクと、前記洗浄水タンクの底部に配設され、前記洗浄水を前記便器へ向けて排水する排水口と、前記排水口に着座するシール面を備え、前記排水口を開閉する排水弁と、前記排水弁の上面に接続され、前記排水弁を引上げる紐状の引上げ部材と、洗浄水に没した状態で前記排水弁を開弁状態に維持するための浮力を発揮するフロートと、を有する便器洗浄水タンク装置において、前記フロートは、前記引上げ部材の中途部に固定可能であると共に、前記排水弁には、前記フロートの下面を前記シール面よりも下方位置に保持可能にするフロート配置部を設けたことを特徴とする。
【０００９】
請求項２記載の発明は、前記フロート配置部は、前記フロートを前記排水弁の下面に保持する保持手段によって構成されていることを特徴とする。
【００１０】
請求項３記載の発明は、前記フロートは、前記引上げ部材を挿通するための挿通孔を有し、前記保持手段は、前記排水弁の下面に垂下された紐状体と、前記挿通孔に前記紐状体を挿通した状態で、前記フロートを固定する係止部材とを有することを特徴とする。
【００１１】
請求項４記載の発明は、前記フロートは、前記引上げ部材を挿通するための挿通孔を有し、前記保持手段は、前記排水弁の下面に突設された突起部と、前記突起部の先端部に連設され、前記挿通孔に前記突起部を挿通した状態で、前記フロートをスナップフィットにより嵌合する嵌合部とを有することを特徴とする。
【００１２】
請求項５記載の発明は、前記フロート配置部は、前記排水弁の上面に前記フロートの少なくとも一部を収納する凹部を備えており、前記凹部の底面は前記シール面よりも下方に配置され、前記フロートを前記引上げ部材に挿通した状態で、前記フロートの下面を前記シール面よりも下方位置に保持可能としたことを特徴とする。
【発明の効果】
【００１３】
請求項１の発明によれば、排水弁を引上げる紐状の引上げ部材の中途部に固定可能であり、洗浄水に没した状態で排水弁を開弁状態に維持するための浮力を発揮するフロートを備え、排水弁に設けられたフロート配置部を用いてフロートの下面を排水弁のシール面よりも下方に位置決めを行うことが可能であり、フロートの高さ位置の下限位置を可及的に低く調整することができ、便器への排水量を可及的に大きく調整することができる効果がある。また、洗浄水タンクの低い位置に貯留された洗浄水までも排出可能とすることができるため、洗浄水タンクの高さを低く設定することができる。
【００１４】
また、本発明の他の請求項に係わる発明においては、以下の作用・効果も奏する。
請求項２の発明によれば、保持手段によって、排水弁の上面に接続される引上げ部材の中途部に加えて排水弁の下面においてもフロートの位置決めを行うことにより、フロートの高さ位置の下限位置を排水弁の下面位置にまで調整することができる。
【００１５】
請求項３の発明によれば、紐状体及び係止部材によって、排水弁の上面に接続される引上げ部材の中途部に加えて排水弁の下面においてもフロートの位置決めを行うことにより、容易かつ簡便な方法でフロートの高さ位置の下限位置を可及的に低く調整することができる。
【００１６】
請求項４の発明によれば、突起部及び嵌合部によって、排水弁の上面に接続される引上げ部材の中途部に加えて排水弁の下面においてもフロートの位置決めを行うことにより、スナップフィットという容易かつ簡便な方法で部品点数の削減、施工性の向上を実現できる。
【００１７】
請求項５の発明によれば、排水弁の上面においてフロートを引上げ部材から離脱することなくフロートの位置決めを行うことにより、施工性を向上させることができる。
【発明を実施するための最良の形態】
【００１８】
以下に、本発明の実施例について図面を参照しながら説明する。図１は、本発明を適用した第１実施形態に係る便器洗浄水タンク装置の断面正面図であり、排水前の状態を示しており、図２は、図１に示した便器洗浄水タンク装置の排水時における断面正面図である。
【００１９】
図１及び図２に示すように、本発明の便器洗浄水タンク装置１００は、便器（図示せず）に装着されて、便器に洗浄水を供給するものであり、便器の便器ボールの大きさや便器の種類に応じて洗浄水タンクからの排水量を調整可能に構成されている。例えば、排水量を小水量（例えば、６Ｌ）と大水量（例えば、８Ｌ）との間で切り替える調整を行うことができるものである。この便器洗浄水タンク装置１００は、便器へ供給するための洗浄水を貯留する洗浄水タンク１０と、洗浄水タンク１０内に水を供給、貯留する給水装置２０と、洗浄水タンク１０内に蓄えられた水を便器に供給排水する排水装置３０とを有している。
【００２０】
洗浄水タンク１０は、薄箱型の方形状に形成し、給水源から供給された水を貯留すると共に、この貯留水を洗浄水として底部に設けた排水口３７より便器へ排水する。なお、図１及び図２において、ＦＷＬは洗浄水タンク１０の満水時の水位、ＤＷＬ１は、小水量洗浄時における死水時の水位、ＤＷＬ２は大水量洗浄時における死水時の水位を示している。ここで、死水時の水位とは、洗浄水タンク１０内に貯留した洗浄水を便器へ排水し終わった時の洗浄水タンク１０内の水位を示すものであり、満水時の水位から所要の排水が完了して排水弁が閉弁した状態における最も水位の下がった状態を言う。
【００２１】
給水装置２０は、洗浄水タンク１０内の左側方の底部１０ａに立設し、下端を給水源と接続した給水管２１と、給水管２１から洗浄水タンク１０内への吐水と止水を切替えるべく給水管２１上端に設けられた給水バルブ２２と、洗浄水タンク１０内の水位の上下動による浮力の変動を利用して給水バルブ２２の吐水と止水の切替え操作を行うフロート部２３とを有している。
【００２２】
給水管２１は、略円筒状に形成し、給水源に連通連結されて、給水源からの水圧によって上端の給水バルブ２２に送水すべく構成されており、給水源としては、水道管、止水栓、或はこれらに接続された配管や接続管等を指称する。
【００２３】
給水バルブ２２は、テコ式レバー２４を介してフロート部２３に連動連結されており、水位の変動にともなうフロート部２３の上下動に応じて給水バルブ２２のダイヤフラム式の弁（図示せず）を開閉作動し、背圧室に通じる背圧抜き穴より吐水、或は止水可能に構成されている。
【００２４】
具体的には、洗浄水タンク１０内の水位が低下するとフロート部２３が降下してテコ式レバー２４を開弁作動させて給水バルブ２２を開き、洗浄水タンク１０への給水が開始され、他方給水に従いタンク内水位が上昇すると、フロート部２３が上昇してテコ式レバー２４を閉弁作動させて給水バルブ２２を閉止する。
【００２５】
かかる給水バルブ２２の作動によって給水バルブ２２の下手側に連通連結した下向きの吐水管２７から洗浄水が洗浄水タンク１０内に吐水され、或は止水される。このような吐水、止水作用により洗浄水タンク１０内に満水時の水位ＦＷＬが維持される。
【００２６】
吐水管２７は、中途で分岐してリフィール管２８に連通しており、リフィール管２８は排水口に連通立設した後述するオーバーフロー管３８の上端開口部３８ｂ内に挿入されている。
【００２７】
次に、本発明の要部となる排水装置３０について説明する。排水装置３０は、図１及び図２に示すように、洗浄水タンク１０の外側面に設けられた操作レバー装置３１と、洗浄水タンク１０内において操作レバー装置３１の基部に略水平方向に連動連結された回転軸３２と、回転軸３２に玉鎖３３を介して連結されて排水口３７を開閉する排水弁３４と、玉鎖３３の所定位置に取り外し自在に装着されたフロート３５とよりなり、操作レバー装置３１のレバー操作によって回転軸３２が回転作動し玉鎖３３を介して連結した排水弁３４の開弁作動を行うように構成されている。
【００２８】
すなわち、回転軸３２の先端からは排水弁３４の上面に接続され、排水弁３４を引上げる紐状の引上げ部材としての玉鎖３３が垂下されており、玉鎖３３の下端には排水弁３４が係止され、排水弁３４から上方の所定距離をおいてフロート３５が玉鎖３３に位置調整自在に固定されている。３５ａは、フロート３５を玉鎖３３に固定するための係止部材としての止輪３５ａであり、中央に挿通孔を設け挿通孔周縁の一部を切欠して切欠部より玉鎖３３を出し入れ可能とし止輪として機能するように構成している。３６は、玉鎖３３を内部に挿通した状態でフロート３５と排水弁３４との間に介在させその間の間隔を一定に保つべくスペーサとして機能するスリーブである。
【００２９】
また、洗浄水タンク１０内には、玉鎖３３に沿って横側方に、排水口３７と連通した状態でＬ字状に立上げたオーバーフロー管３８を配設しており、同洗浄水タンク１０内に供給された過剰な洗浄水、すなわち満水時の水位ＦＷＬを超える分の洗浄水をオーバーフロー管３８に逃がして排水口３７から便器へ排水すべく構成している。また、洗浄水タンク１０内中空部には、前述したリフィール管２８の開口部を挿入収納している。
【００３０】
操作レバー装置３１は、洗浄水タンク１０の側壁に所定の固定具を介して回転自在に支持されており、使用者の操作レバー３１ａの回転動作により回転軸３２を介して排水弁３４を開弁作動する。３１ｂは操作レバー３１ａが元の位置に戻る際に抵抗力を発生させるダンパ機能を備えた操作レバー調整部である。
【００３１】
排水弁３４は、合成樹脂等の弾性のある素材で略円板状に形成され、略中央に下方開口の逆椀状に形成された凹部４２を備えた弁体５１と、弁体５１の外周縁に延設され排水口３７に着座するシール面３４ａを備えた外縁シール部５３とよりなり、弁体５１の側部には弁支持アーム５２が横方向に連設されており、同アーム５２の基端は排水口３７と連通したＬ字状のオーバーフロー管３８の周壁に枢着されている。従って、排水弁３４は、操作レバー３１ａの操作による玉鎖３３の緊張、弛緩作用によって弁支持アーム５２を介して回動しながら排水口３７の開口、閉塞作動を行う。３８ａは、オーバーフロー管３８の周壁に突出形成された枢軸、５２ａは、この枢軸３８ａに枢着される弁支持アーム５２の基端の枢着用孔を示す。
【００３２】
排水口３７は、洗浄水タンク１０の略中央底部に設けられており、排水口３７の内周壁面には、排水ガイド筒３７ａが嵌着され、同排水ガイド筒３７ａは、洗浄水タンク１０の底部上方にまで延設され、その上端開口縁に排水弁３４のシール面３４ａが着座することにより排水口３７の閉弁状態が維持されるように構成されている。
【００３３】
かかる排水装置３０において、本発明の要部となるのは、排水弁３４にはフロート３５の下面３５ｂを排水弁３４のシール面３４ａよりも下方位置に保持可能にするフロート配置部４１を設けたことにある。このフロート配置部４１とは、フロート３５を玉鎖３３から離脱して、排水弁３４の上方位置から排水弁３４の下面位置に付替え可能とする構造をいう。
【００３４】
すなわち、フロート３５を排水弁３４の上方において玉鎖３３に装着固定するためには、フロート３５の略中央に玉鎖３３を挿通するための挿通孔３５ｃを設け、フロート３５の上面に接するように止輪３５ａを玉鎖３３に係合すると共に、フロート３５の下方で排水弁３４との間にスリーブ３６を介設してフロート３５の固定をしている。このフロート３５は、洗浄水中に没した状態で浮力を発揮し、この浮力は玉鎖３３を介して排水弁３４に作用する。ここでフロート３５の排水弁３４に作用する浮力は、洗浄水タンク１０内の水位が満水時の水位ＦＷＬにあるときに、洗浄水の水圧が排水弁３４に対して作用する下向きの押圧力よりも小さくなるように設定されている。従って、排水口３７を閉弁した状態の排水弁３４は、フロート３５の浮力が作用しても洗浄水の水圧により閉弁状態を維持することができ、一方、排水弁３４が操作レバー３１ａの操作により開弁状態（図２参照）に操作された時には、排水弁３４は開弁状態を維持することができるように設定されている。
【００３５】
次に、図３〜図５を用いて、フロート３５の下面３５ｂを排水弁３４のシール面３４ａより下方に保持するフロート配置部４１の具体的な構成について説明する。図３は図１に示したフロート配置部４１の要部を示した部分拡大断面正面図、図４は図３に示したフロート配置部４１の使用態様における、排水弁３４の閉弁状態を示す断面正面図、図５は図３に示したフロート配置部４１における、排水弁３４の開弁状態を示す断面正面図である。
【００３６】
フロート配置部４１は、図３に示すように、弁体５１の略中央に下方開口の逆椀状に形成された凹部４２と、排水弁３４を吊下した玉鎖３３とは別に凹部４２の略中央に垂設された紐状体としてのフロート配置用玉鎖４３とよりなる。
【００３７】
通常の配置におけるフロート３５は、止輪３５ａ及びスリーブ３６により上下を狭持されることにより玉鎖３３の中途部であって排水弁３４よりも上方位置、すなわち、図３の一点鎖線で示す位置に固定されている。フロート３５が玉鎖３３のかかる位置に固定されている場合には、フロート３５は、図２に示す排水弁３４の開弁状態で、高さ位置ＦＨ１に配置されることとなる。ここで、高さ位置とは、洗浄水タンク１０の底部１０ａを基準とした高さ位置を言う。
【００３８】
かかるフロート３５の位置をフロート配置部４１により変位させて通常の配置による場合よりも大量の洗浄水を洗浄水タンクから排出できるように変更するためには、まず、止輪３５ａを玉鎖３３から離脱することにより、フロート３５を玉鎖３３の上端から抜去し排水弁３４の凹部４２中に付け替えする。
【００３９】
すなわち、玉鎖３３から去脱したフロート３５を排水弁３４の凹部４２に嵌着し、フロート３５の挿通孔３５ｃにフロート配置用玉鎖４３を挿通し、当初玉鎖３３から離脱していた止輪３５ａをフロート３５の下面３５ｂに接するようにフロート配置用玉鎖４３に装着する。フロート３５を排水弁３４の凹部４２内に嵌着できるようにフロート３５の外径と凹部４２の内径とは略同一に形成しており、しかも、フロート３５の下半部は凹部４２から露出するような構成することによりフロート３５の下面３５ｂは排水弁３４のより下方に位置している。このようにフロート３５がフロート配置用玉鎖４３に固定された場合には、フロート３５は、図３の実線で示す位置に配置されることとなり、このときのフロート３５の下面３５ｂは、排水弁３４のシール面３４ａよりも下方位置に保持されることとなる。
【００４０】
なお、フロート３５が排水弁３４の凹部４２に付け替えられた場合、図４に示すように排水弁３４を閉弁状態にした時はフロート３５は排水口３７の排水ガイド筒３７ａ中に収納された状態となり、浮力は一切排水弁３４に及ばない。
【００４１】
このように、フロート３５が排水弁３４の凹部４２に付け替えられた状態、すなわち図３の実線で示す位置に保持された場合には、フロート３５は、図５に示す排水弁３４の開弁状態において、フロート３５が玉鎖３３に固定される場合の高さ位置ＦＨ１よりも低い高さ位置ＦＨ２に配置されることとなる。このとき、フロート配置用玉鎖４３及び止輪３５ａは、フロート３５を排水弁３４の下面に保持する保持手段として機能し、フロート配置部４１は、この保持手段と排水弁３４の凹部４２によって構成されている。
【００４２】
このような構成により、フロート３５は、フロート配置用玉鎖４３及び止輪３５ａによって排水弁３４の下面に付け替えを行うことができることになり、容易かつ簡便な方法で排水弁３４に対してフロート３５の高さの下限位置を可及的に低く調整することができる。
【００４３】
次に、実際にフロート配置部４１を用いてフロート３５の高さ位置を調整し便器洗浄水タンク装置１００の排水量を調整した場合、その排水動作に関し、洗浄水の排水量６Ｌである小水量洗浄時の排水動作と、８Ｌである大水量洗浄時の排水動作とに分けて説明する。
【００４４】
まず、小水量洗浄時の排水動作について説明する。
【００４５】
図１に示すように、便器洗浄水タンク装置１００は、洗浄水タンク１０内に貯留している洗浄水の水位が満水時の水位ＦＷＬとなっており、排水弁３４を閉弁状態としている。しかも、フロート３５は、図３の一点鎖線で示す位置に固定されている。この状態では、フロート３５は、洗浄水中に没した状態であり浮力を生じているものの満水時の水圧により排水弁３４に作用しないため閉弁状態を維持している。
【００４６】
この状態から、操作レバー３１ａを回転させると、回転軸３２の回転を介して玉鎖３３が上方に引き上げられ、これによって排水弁３４の一端が引き上げられる。
【００４７】
そして、排水弁３４は、図２に示すように、枢軸３８ａ，３８ａを中心として上方に回動して、排水口３７を解放した開弁状態となり、排水口３７から便器への洗浄水の排水が開始され、洗浄水タンク１０内の洗浄水の水位は、満水時の水位ＦＷＬから徐々に低下し始める。
【００４８】
その後、洗浄水タンク１０内の洗浄水の水位が低下し高さ位置ＦＨ１に到達するまでの間、フロート３５の浮力により、排水弁３４の開弁状態が維持される。
【００４９】
洗浄水の水位がフロート３５の高さ位置ＦＨ１に到達し、フロート３５の一部が水面から露出した状態となると、フロート３５の浮力は急激に減少して、排水口３７の吸引力により排水弁３４は、枢軸３８ａ，３８ａを中心として下方に回動して、排水口３７を閉塞した閉弁状態となる。すなわち、排水口３７には、洗浄水の流出により、排水弁３４を下方に回動させるような負圧が発生するから、この負圧による力を受けて排水弁３４が閉弁状態となる。
【００５０】
排水弁３４が閉弁状態となることにより、排水口３７から便器への洗浄水の排水が終了し、このときの洗浄水の水位は、小水量洗浄時における死水時の水位ＤＷＬ１となっている。
【００５１】
次に、大水量洗浄時の排水動作について説明する。
【００５２】
図４に示すように、操作レバー３１ａの操作がされる前の便器洗浄水タンク装置１００は、洗浄水タンク１０内に貯留している洗浄水の水位が満水時の水位ＦＷＬとなっており、排水弁３４を閉弁状態としている。しかも、フロート３５は、図３の実線で示す位置に付け替え固定されている。この状態では、フロート３５は、排水口３７の排水ガイド筒３７ａ中に収納された状態となっており洗浄水中に没した状態となっていないため、その浮力は発生しておらず、排水弁３４は、閉弁状態を維持している。
【００５３】
この状態から、便器の洗浄をするために、操作レバー３１ａを回転させると、回転軸３２の回転を介して玉鎖３３が上方に引き上げられ、これによって排水弁３４の一端が引き上げられる。
【００５４】
排水弁３４は、図５に示すように、枢軸３８ａ，３８ａを中心として上方に回動して、排水口３７を解放した開弁状態となると共に、フロート３５も排水弁３４と共に回動して上昇し、洗浄水中に没した状態となるため、フロート３５は排水弁３４に開弁状態を維持するための浮力を与える。
【００５５】
そして、排水弁３４が開弁状態となることにより、排水口３７から便器への洗浄水の排水が開始され、洗浄水タンク１０内の洗浄水の水位は、満水時の水位ＦＷＬから低下し始める。
【００５６】
その後、洗浄水タンク１０内の洗浄水の水位が、フロート３５の高さ位置ＦＨ１よりも低下して高さ位置ＦＨ２に到達するまでの間、フロート３５の浮力により、排水弁３４の開弁状態が維持される。
【００５７】
洗浄水の水位がフロート３５の高さ位置ＦＨ２に到達し、フロート３５の一部が水面から露出した状態となると、フロート３５の浮力は急激に減少する。そして、排水口３７の吸引力により排水弁３４は、枢軸３８ａ，３８ａを中心として下方に回動して、排水口３７を閉塞した閉弁状態となる。
【００５８】
このようにフロート３５がＦＨ２に達してから排水弁３４が閉弁するまでの間において、水位の降下に従ってフロート３５も徐々に降下していき、最終的には、フロート３５の下面３５ｂが排水弁３４のシール面３４ａより下方位置にあるため、排水弁３４のシール面３４ａの位置まで貯まった水は全て排水されてしまう。
【００５９】
そして、排水弁３４がついに閉弁状態となることにより、排水口３７から便器への洗浄水の排水が終了し、このときの洗浄水の水位は、小水量洗浄時における死水時の水位ＤＷＬ１よりも下方の大水量洗浄時における死水時の水位ＤＷＬ２となっている。
【００６０】
このように、フロート３５を図３の実線で示す位置に配置する場合は、フロート３５を図３の一点鎖線で示す位置に配置する場合と比べて、排水弁３４が開弁状態から閉弁状態へ移行するタイミングが遅くなり、排水弁３４が開弁状態となってから閉弁状態となるまでの時間が長くなる。この時間に、小水量洗浄時における死水時の水位ＤＷＬ１と大水量洗浄時における死水時の水位ＤＷＬ２との差分に相当する洗浄水の容量が、洗浄水タンク１０からの排水量の調整分となり、大水量洗浄時における排水量は、この調整分だけ小水量時における排水量よりも大きくなる。
【００６１】
したがって、排水弁３４を引上げる紐状の引上げ部材（例えば、玉鎖３３）の中途部に固定可能であり、洗浄水に没した状態で排水弁３４を開弁状態に維持するための浮力を発揮するフロート３５を備え、フロート配置部４１を用いてフロート３５の位置決めを行うことにより、フロート３５の高さ位置の下限位置を可及的に低く調整することができ、便器への排水量を可及的に大きく調整することができる便器洗浄水タンク装置１００を提供することができる。
【００６２】
また、死水時の水位ＤＷＬ２を排水弁３４のシール面３４ａの位置まで低くすることができるため、所定量の洗浄水を便器へ供給するための洗浄水タンク１０における満水時の水位ＦＷＬの高さ位置を低くすることが可能となる。従って、洗浄水タンク１０の高さを低くすることができる。
【００６３】
次に、本発明を適用した他の実施形態について説明する。図６は、第２実施形態に係る便器洗浄水タンク装置に備えられるフロート配置部２４１を示した部分拡大断面正面図である。第１実施形態に係るフロート配置部４１は、排水弁３４の下面に垂下されたフロート配置用玉鎖４３を有し、フロート３５の挿通孔３５ｃに同玉鎖４３を挿通した状態で、止輪３５ａにより固定することにより、フロート３５を排水弁３４の下面に保持する構成であったが、これに替えて、第２実施形態に係るフロート配置部２４１は、スナップフィットを利用してフロート３５を排水弁２３４の下面に保持する構成とする。
【００６４】
すなわち、第２実施形態に係るフロート配置部２４１は、図６に示すように、排水弁３４の逆椀状の凹部４２の略中央に排水弁２３４の下方に向けて垂設した突起部２４３と、突起部２４３の下端に形成した嵌合部２４４とよりなり、突起部２４３をフロート３５の挿通孔３５ｃに挿通した状態で、フロート３５の挿通孔３５ｃ中に架設した係合板３５ｄに嵌合部２４４をスナップフィットさせて係合することによりフロート３５を凹部４２中に装着固定する。
【００６５】
突起部２４３及び嵌合部２４４は、フロート３５の挿通孔３５ｃ中の係合板３５ｄにスナップフィットすることができるように、共に弾性のある素材で一体的に形成されており、嵌合部２４４は、突起部２４３に対して、断面積の大きい膨大部となっている。
【００６６】
フロート３５がスナップフィットにより嵌合部２４４に嵌合された場合には、フロート３５は、図４の一点鎖線示す位置よりも下方の実線で示す位置に固定されることとなり、このときのフロート３５の下面３５ｂは、排水弁２３４のシール面３４ａよりも下方位置に保持されることとなる。ここで、突起部２４３及び嵌合部２４４は、フロート３５を排水弁２３４の下面に保持する機能を有していることになり、かかるフロート配置部２４１は、フロート３５の付け替え固定のための保持手段を構成している。
【００６７】
これにより、第２実施形態に係るフロート配置部２４１によりフロート３５を位置決めした場合には、第１実施形態に係るフロート配置部４１によりフロート３５を位置決めした場合と同様の作用・効果を奏することができる。
【００６８】
しかも、突起部２４３及び嵌合部２４４を利用したスナップフィットによって、排水弁２３４を引上げる紐状の引上げ部材（例えば、玉鎖３３）中途部に装着したフロート３５の付け替えを行う際に排水弁２３４の下面にフロート３５の位置決めを行うことができ、スナップフィットという容易かつ簡便な方法で部品点数の削減、施工性の向上を実現できると共に、フロート３５の高さ位置の下限位置を可及的に低く調整することができ、便器への排水量を可及的に大きく調整することができる便器洗浄水タンク装置となっている。
【００６９】
（第３実施形態）
次に、本発明を適用した他の実施形態について説明する。図７は、第３実施形態に係る便器洗浄水タンク装置に備えられるフロート配置部３４１を示した部分拡大断面正面図である。第１実施形態に係るフロート配置部４１は、フロート３５を排水弁３４の下面に保持する構成であったが、これに替えて、第３実施形態にかかるフロート配置部３４１は、フロート３５を排水弁３３４の上面に保持する構成とする。
【００７０】
すなわち、図７に示すように、第３実施形態に係るフロート配置部３４１は、上方開口の椀状の排水弁３３４と共にフロート３５の少なくとも一部を収納する凹部３４２を形成している。
【００７１】
同排水弁３３４は、その周面に排水口３７に着座するシール面３３４ａを備えた弁体３５１を有している。また、凹部３４２の底面３４２ａはシール面３３４ａよりも下方に配置されている。
【００７２】
かかる構成により、フロート３５の挿通孔３５ｃに玉鎖３３を挿通した状態で、フロート３５を、そのまま図７で示す一点鎖線の位置から実線の位置まで移動させて、フロート３５の下部を排水弁３３４の凹部３４２に収納して、止輪３５ａでフロートの上方を固定する。このとき、フロート３５の下面３５ｂは、排水弁３３４のシール面３３４ａよりも下方位置に保持されることとなる。
【００７３】
これにより、第３実施形態に係るフロート配置部３４１によりフロート３５を位置決めした場合には、第１実施形態に係るフロート配置部４１によりフロート３５を位置決めした場合と同様の作用・効果を奏することができる。
【００７４】
しかも、排水弁３３４の上面においてフロート３５を玉鎖３３から離脱することなくフロート３５の位置決めを行うことにより、施工性を向上させることができると共に、フロート３５の高さ位置の下限位置を可及的に低く調整することができ、便器への排水量を可及的に大きく調整することができる便器洗浄水タンク装置となっている。
【００７５】
以上本発明の好ましい実施の形態について説明したが、本発明はかかる特定の実施形態に限定されるものではなく、特許請求の範囲に記載された本発明の要旨の範囲内において、種々の変形・変更が可能である。
【００７６】
例えば、第２実施形態においては、突起部２４３の先端部に嵌合部２４４を連設する構成としたが、これに替えて、突起部２４３の先端部に板バネ等の弾性部材を配設してスナップフィットによりフロート３５を固定するようにしても良い。また、嵌合部２４４を、突起部２４３の先端部ではなく中途部に連設しても良い。
【００７７】
本発明の実施の形態に記載された効果は、本発明から生じる最も好適な効果を列挙したに過ぎず、本発明による効果は、本発明の実施の形態に記載されたものに限定されるものではない。
【図面の簡単な説明】
【００７８】
【図１】本発明を適用した第１実施形態に係る便器洗浄水タンク装置の排水前の断面正面図である。
【図２】図１に示した便器洗浄水タンク装置の排水時における断面正面図である。
【図３】図１に示した便器洗浄水タンク装置に備えられたフロート配置部の部分拡大断面正面図である。
【図４】図３に示したフロート配置部の使用態様における、排水弁の閉弁状態を示す断面正面図である。
【図５】図３に示したフロート配置部の使用態様における、排水弁の開弁状態を示す断面正面図である。
【図６】第２実施形態に係る便器洗浄水タンク装置に備えられたフロート配置部の部分拡大断面正面図である。
【図７】第３実施形態に係る便器洗浄水タンク装置に備えられたフロート配置部の部分拡大断面正面図である。
【符号の説明】
【００７９】
１０            洗浄水タンク
１０ａ          洗浄水タンクの底部
３３            引き上げ部材(玉鎖)
３４            排水弁
３４ａ          排水弁のシール面
３５            フロート
３５ａ          係止部材（止輪）
３５ｂ          フロートの下面
３５ｃ          フロートの挿通孔
３７            排水口
４１            フロート配置部
４３            紐状体（フロート配置用玉鎖）
３５ａ，４３    保持手段
１００          便器洗浄水タンク装置
２３４          排水弁
２４１          フロート配置部
２４３          突起部
２４４          嵌合部
２４３，２４４  保持手段
３３４          排水弁
３３４ａ        排水弁のシール面
３４１          フロート配置部
３４２          凹部
３４２ａ        凹部の底面
【図３】
2008156899.tif 000003
【図６】
2008156899.tif 000004
【図７】
2008156899.tif 000005
【図１】
2008156899.tif 000006
【図２】
2008156899.tif 000007
【図４】
2008156899.tif 000008
【図５】
2008156899.tif 000009